(57)【要約】【課題】ノート型パーソナルコンピュータ（以下、パソコン）及び周辺機器を格納整理できるソファーテーブル兼用パソコン収納机を提供すること。【解決手段】箱形机の天板２を引分けスライド開放させると、連動した昇降装置で、内部より別の中央天板１が迫り上がり、格納していたパソコン２１が現れる、ダボ形ストッパー１９が突き出して掛かり中央天板１の上下動は固定される、天板３は側面の溝彫りが天板２のガイドレールを兼ねる、机内部には電源コンセントを備えて常時接続しパソコンスイッチを入れると直ぐ使用できる、格納はストッパー１９を押込み、中央天板１を降下させると連動した天板２が閉じて完了する。【選択図】図１
2007181494.tif 000002
【特許請求の範囲】
【請求項１】
箱形机の天板を開くと連動した昇降装置で、内部に格納していた別の天板が迫り上がり格納物品が現れる、迫り上がり後はストッパーが掛かりその天板の上下動は固定されるも、載せ掛け天板の脱着は可能であり、格納はストッパーを外しその天板を降下させると、連動した天板が閉じて完了することを特徴とするパソコン収納机。                  
【請求項２】
前記天板は引分けスライド開閉に連動した、昇降装置のＬ形金物昇降フレームで格納の中央天板を上下動させる、請求項１に記載のパソコン収納机。
【請求項３】
昇降装置はスプリングあるいはパンタグラフ式あるいは電動式とした請求項１に記載のパソコン収納机。
【請求項４】
箱形机の天板は片開きあるいは観音開き式とした、請求項１及び３に記載のパソコン収納机。
【請求項５】
机内部に電源コンセントを備えて、机底部に配線兼通気開口部を設けた請求項１〜４に記載のパソコン収納机。
【請求項６】
前記箱形机が脚付のときはその長短により使用場所及び用途も多様となる請求項１〜５に記載のパソコン収納机。
【発明の詳細な説明】
【技術分野】
【０００１】
本発明は、パソコンの普及に伴い家庭内にもインターネット関連の周辺機器が増加している現況から格納整理に関するものである。
【背景技術】
【０００２】
従来、家庭内でインターネットをする場所といえばパソコン机と周辺機器を立体棚に並べた壁際空間であることが多く、その形態は普遍化されていた。
【発明の開示】
【発明が解決しようとする課題】
【０００３】
家庭内居間等でインターネットをする場合、機器設置の関係から操作は壁に向かってすることが一般的で、周辺機器の雑多な形状色彩と共に多くの配線が露出し、整理清掃し難く、室内の美観だけでなく衛生上にも問題があった。
【課題を解決するための手段】
【０００４】
箱形机の天板を引分けスライド開閉に連動した昇降装置で、内部に格納していた別の中央天板が迫り上がり、格納パソコンが現れる、迫り上がり後はストッパーが掛かりその中央天板の上下動は固定されるも、載せ掛け中央天板の脱着により机内部の周辺機器や配線などの維持管理と整理ができる。格納はストッパーを外しその中央天板を降下させると、連動した天板が閉じて完了する。      
【発明の効果】
【０００５】
家庭の居間等でパソコンやインターネットをする場合、周辺機器の格納をソファーテーブル兼用収納机とすることは配置の自由度と共に汎用性が高く美観上にも優れ、そして操作時の視線方向が同一ならテレビを見ながらパソコンやインターネットができる環境となり、室面積の有効利用と資源の節約に通じる。箱形机の天板を引分けスライド開閉に連動した昇降装置で、内部に格納していた別の中央天板が迫り上がり、格納パソコンが現れスイッチを入れると即時に使用でき又、載せ掛け中央天板の脱着により、机内部に設置した雑多な形状色彩の周辺機器や多くの配線の出し入れと整理ができ維持管理も容易であり、格納はストッパーを外しその中央天板を降下させると、連動した天板が閉じて完了し外観はソファーテーブルとなる。尚、収納机内部仕上げは難燃材以上であることが望ましい。  
【発明を実施するための最良の形態】
【０００６】
本発明の第１の実施形態におけるパソコン収納机を、図１、図２、図３、図４を参照して説明する。図１はパソコン収納机の天板２を引分けスライド開放させると連動した昇降装置で、内部より別の中央天板１が迫り上がり、格納していたパソコン２１が現れた斜視図で、図２はストッパー１９を押込み、中央天板１を降下させると連動した天板２が閉じてパソコンを格納完了し、ソファーテーブルとなった基本形体の斜視図である。天板３は天板２がスライドするためのガイド溝１８を備える、４ａは四隅の短脚であり付加の有無は必須条件ではなく足元スペースとしての使い勝手による、箱形机の容積優先なら足元スペース部を机容積に加算し４ａは省略する、５は机側板であり４面に取り付く。
【０００７】
図４は箱形机底面見上げ図で、６は机の底板であり、７ａは机の底板に付設した通気口兼配線用開口部となる。配線用溝７ｂは四隅の脚低４ａ、４ｂに付設した配線用溝であり、電気及びインターネットの引込みを通気口兼配線用開口部７ａ、又は脚低の配線用溝７ｂ何れかを利用して配線できる。
【０００８】
図３は昇降フレーム構成の斜視図で、昇降天板受梁９は昇降天板繋梁１０に取付き、昇降天板受梁９端部下には持出し材１７が１６竪レール用に嵌合し垂直昇降する。また昇降天板繋梁１０上端部４ヶ所並びに昇降天板受梁９上部の天板３手前に４ヶ所立ち上り金物１０ｍｍ高が計８ヶ所取付き、梁上に中央天板１を載せ掛け、その金物で水平固定しても脱着可能であり、机内部への周辺機器や物品等の収納開口部となる。
【０００９】
図５は箱形机の天板２を引分けスライド開放させると連動した昇降装置で、内部より別の中央天板１が迫り上がり、格納していたパソコン２１が現れたＡ〜Ａ‘断面図で、Ｌ形可動溝付アーム１１とスプリング１２とフック１３並びに垂直金物１４ａ、１４ｂと可動ボルト１５で前記述、図３とで昇降装置が構成される。受樋８は机内部への埃の防止とテーブル使用時飲料水等がこぼれた時の受溜め用のものである。
【００１０】
図６は箱形机の天板２のスライド閉鎖状態を示すＢ〜Ｂ‘断面図で連動した昇降装置は、最下降しパソコン２１を格納した形態で、この時垂直金物１４ｂは中央側に水平移動し、それに連動したＬ形可動溝付アーム１１は１４ｂ下端部ボルト部を支点として回転して１４ａ下端部ボルト部１５がＬ形可動溝付アーム１１の溝部をスライド移動し中央天板１が降下した状態となる。この時、スプリング１２は伸張状態となる。２０は電気及びインターネットの引込み配線であり、四隅の脚４ａと脚低７ｂに付設した配線用溝と机の底板７ａに付設した通気口兼配線用開口部を利用した引込みであり、２２は電気コンセント及びパソコン周辺機器や物品等を格納した状態である。
【００１１】
図７は長脚４ｂとしたもので通常椅子に対応したものであり平面的に大型化すれば対面２人又は４人利用のパソコン収納机として利用可能であり、図８は上開き天板としたソファーテーブル兼用パソコン収納机斜視図。図８は上開き天板としたソファーテーブル兼用パソコン収納机斜視図でありまた、ソファー脇テーブル兼用パソコン収納机として利用可能であり、中央２３天板を開くと連動した昇降装置で、内部に格納していた別の天板が迫り上る、
天板２４を閉じた形態ではその上部利用で電話台としても可能である。
【図面の簡単な説明】
【００１２】
【図１】本発明の実施の形態例のパソコン収納机中央天板露出時の斜視図である。
【図２】本発明のパソコン収納机中央天板格納時の斜視図である。
【図３】昇降フレーム構成の斜視図である。
【図４】パソコン収納机底面見上げ図である。
【図５】パソコン収納机中央天板露出時のＡ〜Ａ‘断面図である。
【図６】パソコン机の天板をスライド閉鎖し中央天板格納Ｂ〜Ｂ‘断面図である。
【図７】長脚としたパソコン収納机中央天板露出時の斜視図である。
【図８】上開き天板としたパソコン収納机斜視図。
【符号の説明】
【００１３】
１中央天板
２天板
３天板
４ａ四隅の短脚
４ｂ四隅の長脚
５机側板
６机底板
７ａ通気口兼配線用開口部
７ｂ脚低の配線用溝
８受樋
９昇降天板受梁
１０昇降天板繋梁
１１Ｌ形可動溝付アーム
１２スプリング
１３フック
１４ａ垂直金物
１４ｂ垂直金物
１５可動ボルト
１６竪レール
１７持出し材
１８ガイド溝
１９ストッパー
２０電気及びインターネット引込み配線
２１パソコン
２２電気コンセント及びパソコン周辺機器や物品
２３中央上開き天板
２４上開き天板
【図１】
2007181494.tif 000003
【図２】
2007181494.tif 000004
【図３】
2007181494.tif 000005
【図４】
2007181494.tif 000006
【図５】
2007181494.tif 000007
【図６】
2007181494.tif 000008
【図７】
2007181494.tif 000009
【図８】
2007181494.tif 000010
【手続補正書】
【提出日】平成18年1月11日(2006.1.11)
【手続補正１】
【補正対象書類名】図面
【補正対象項目名】全図
【補正方法】変更
【補正の内容】
【図１】
2007181494.tif 000011
【図２】
2007181494.tif 000012
【図３】
2007181494.tif 000013
【図４】
2007181494.tif 000014
【図５】
2007181494.tif 000015
【図６】
2007181494.tif 000016
【図７】
2007181494.tif 000017
【図８】
2007181494.tif 000018